(57)【要約】【課題】既存の転写テープの塗膜に、転写時における塗膜の易切断性などの機能を簡単に付与することのできる塗膜転写具を提供する。【解決手段】前端が開口する本体容器３内に供給リール４と巻取リール５を配設し、前記開口２より転写ヘッド６を突設させ、前記供給リール４に巻回した転写テープ７を繰出し、前記転写ヘッド６の尖端で反転させて前記巻取リール５に巻取らせるようにした塗膜転写具１において、本体容器３内における供給リール４と転写ヘッド６間の位置に、転写テープ７の塗膜７ａに所定の機能を付与するための機能付与装置８を設けたことを特徴とする塗膜転写具とする。【選択図】        図１
2004230596.tif 000002
【特許請求の範囲】
【請求項１】
前端が開口する本体容器内に供給リールと巻取リールを配設し、前記開口より転写ヘッドを突設させ、前記供給リールに巻回した転写テープを繰出し、前記転写ヘッドの尖端で反転させて前記巻取リールに巻取らせるようにした塗膜転写具において、本体容器内における供給リールと転写ヘッド間の位置に、転写テープの塗膜に所定の機能を付与するための機能付与装置を設けたことを特徴とする塗膜転写具。
【請求項２】
前記機能付与装置を、本体容器内に立設した筒軸の回りに回転可能な柱状体を設け、この柱状体の外周部を、転写テープの塗膜面に押圧させ、転写テープの進行にともなって、塗膜に前記外周部の形状に応じて各種の形状を付与することにより、塗膜に所定の機能を付与するものとしたことを特徴とする請求項１記載の塗膜転写具。
【請求項３】
前記機能付与装置を、本体容器内における転写テープの近傍に、有底筒状体を立設するとともに、有底筒状体における、転写テープと対面する外周面に、噴射孔を設け、かつ供給リール用のギヤと噛合して回転する羽根体を有底筒状体内に設け、有底筒状体内に収容した液体または微粉体を、前記噴射孔を通して、転写テープの塗膜面に吹き付けることによって、塗膜に所定の機能を付与するものとしたことを特徴とする請求項１記載の塗膜転写具。
【請求項４】
前記液体または微粉体を、装飾または視認用のインクまたは粉体、芳香性粉体、あるいはこれらを含有した易破壊性マイクロカプセルのいずれかとしたことを特徴とする請求項３記載の塗膜転写具。
【請求項５】
前記塗膜に付与する所定の機能を、塗膜の易切断性、視認性、芳香性、装飾性、貼り付け位置の修正可能性の中から選んだものとしたことを特徴とする請求項１〜４のいずれかに記載の塗膜転写具。
【発明の詳細な説明】
【０００１】
【発明の属する技術分野】
本発明は、塗膜転写具に関し、特に、転写テープの塗膜に所定の機能を付与することができる塗膜転写具に関する。
【０００２】
【従来の技術】
塗膜に所定の機能を付与したものとして、次のようなものがある。塗膜転写具を用いて、塗膜を紙面等に転写する場合、塗膜の切断時に、その切れが悪く、塗膜が糸を引くように伸びる、いわゆる糸引き現象を生ずる場合がある。
これを防ぐため、塗膜を島模様状とすることが提案されている（特許文献１参照）。
【０００３】
また、糊塗膜は、通常、透明であるが、透明の場合、紙面等に転写された塗膜の転写箇所を視認することが容易でない。このため、塗膜中に有機顔料を混入して着色したものが提案されている（特許文献２参照）。
しかし、両者は、いずれも工場において、テープ基材上に塗膜を塗布する工程中において、島模様状塗膜あるいは顔料混合塗膜を塗布するものであって、既存の転写テープにおける塗膜を加工するものではない。
【０００４】
【特許文献１】
特開２００１−１９２６２５号公報（段落〔０００４〕〜〔０００８〕）
【特許文献２】
特開平８−２７４３３号公報（段落〔０００４〕〜〔００２１〕）
【０００５】
【発明が解決しようとする課題】
本発明は、前記の現状に鑑み、既存の転写テープにおける塗膜に、所定の機能、たとえば塗膜の易切断性の向上、あるいは塗膜に視認を容易または装飾的効果を向上させるための色を施すなどの機能を簡単に付与することができる塗膜転写具を提供することを目的とする。
【０００６】
【課題を解決するための手段】
本発明によると、上記課題は、次のようにして解決される。
（１）  前端が開口する本体容器内に供給リールと巻取リールを配設し、前記開口より転写ヘッドを突設させ、前記供給リールに巻回した転写テープを繰出し、前記転写ヘッドの尖端で反転させて前記巻取リールに巻取らせるようにした塗膜転写具において、本体容器内における供給リールと転写ヘッド間の位置に、転写テープの塗膜に所定の機能を付与するための機能付与装置を設ける。
【０００７】
（２）  上記（１）項において、前記機能付与装置を、本体容器内に立設した筒軸の回りに回転可能な柱状体を設け、この柱状体の外周部を、転写テープの塗膜面に押圧させ、転写テープの進行にともなって、塗膜に前記外周部の形状に応じて各種の形状を付与することにより、塗膜に所定の機能を付与するものとする。
【０００８】
（３）  上記（１）項において、前記機能付与装置を、本体容器内における転写テープの近傍に、有底筒状体を立設するとともに、有底筒状体における、転写テープと対面する外周面に、噴射孔を設け、かつ供給リール用のギヤと噛合して回転する羽根体を有底筒状体内に設け、有底筒状体内に収容した液体または微粉体を、前記噴射孔を通して、転写テープの塗膜面に吹き付けることによって、塗膜に所定の機能を付与する。
【０００９】
（４）  上記（３）項において、前記液体または微粉体を、装飾または視認用のインクまたは粉体、芳香性粉体、あるいはこれらを含有した易破壊性マイクロカプセルのいずれかとする。
【００１０】
（５）  上記（１）項〜（４）項のいずれかにおいて、前記塗膜に付与する所定の機能を、塗膜の易切断性、視認性、芳香性、装飾性、貼り付け位置の修正可能性の中から選んだものとする。
【００１１】
【発明の実施の形態】
図１は、本発明の一実施形態の塗膜転写具を、本体容器を形成する１対の上下容器部材のうち、上側容器部材を取り除き、本体容器内部を視認し得るようにして示す斜視図である。
図２は、同じく平面図である。
図３は、同じく要部の分解拡大斜視図である。
【００１２】
本発明の塗膜転写具（１）は、公知のものと同様に、前端を開口（２）させた本体容器（３）内に、供給リール（４）と巻取リール（５）が配設され、前記開口（２）より転写ヘッド（６）を突設させ、供給リール（４）に巻回した転写テープ（７）を繰出し、前記転写ヘッド（６）の尖端で反転させて、前記巻取リール（５）に巻取らせることができるようになっている。
【００１３】
本体容器（３）内における供給リール（４）と転写ヘッド（６）の間には、転写テープ（７）の塗膜（７ａ）に所定の機能を付与するための機能付与装置（８）が設けられている。
この機能付与装置（８）は、図３に示すように、筒軸（９）と柱状体（１０）とより形成されている。
【００１４】
筒軸（９）は、本体容器（３）の内底面（３ａ）における、供給リール（４）と転写ヘッド（６）の間であって、転写テープ（７）の塗膜（７ａ）に対面する位置に立設されている。
【００１５】
一方、柱状体（１０）は、その外周面（１０ａ）に多数の小突起（１１）が設けられ、かつ上下端部（１２）（１３）が、それぞれ段部（１０ｂ）（１０ｃ）を介して縮径されている。
この柱状体（１０）は、その下端部（１３）を前記筒軸（９）に内嵌させることによって、自在に回転し得るようになっている。
【００１６】
前記柱状体（１０）における外周部、すなわち小突起（１１）の外端部（１１ａ）を、転写テープ（７）の塗膜（７ａ）の表面に押圧させることによって、柱状体（１０）は、転写テープ（７）の進行にともなって回転し、それにともなって、塗膜（７ａ）の表面に凹凸の形状が付与される。
この凹凸の形状が付与された塗膜（７ａ）は、転写の際における切断性が良好である。
【００１７】
図４は、図３における柱状体（１０）を、他の実施形態のもの（１４）に取り替えた場合を示す図である。
【００１８】
本実施形態の柱状体（１４）は、その外周に軸線方向の多数の板羽根（１５）が、放射状に配設されている。
【００１９】
図３の場合と同様にして、板羽根（１５）の外端部（１５ａ）を、転写テープ（７）の塗膜（７ａ）面に押圧させることによって、塗膜（７ａ）面に、横方向の細溝が、転写テープ（７）の進行方向に多数形成され、同じく転写の際における塗膜（７ａ）の易切断性が向上する。
【００２０】
図５、図６は、本発明の別の実施形態の塗膜転写具（１６）を示し、それぞれ図１、図２に対応する図である。
図７は、要部の分解拡大斜視図である。
【００２１】
本実施形態における機能付与装置（１７）は、次のように形成されている。
本体容器（１８）の内部に、転写テープ（２３）に対面する外周面に、軸線方向に並ぶ多数の噴射孔（１９ａ）を設けた有底筒状体（１９）が立設されている。
【００２２】
有底筒状体（１９）は、その左右外側に、逆Ｌ字状の脚部（２０）（２０）が設けられ、その両脚部（２０）（２０）の下端は、本体容器（１８）の内底面（１８ａ）における、供給リール（２１）と転写ヘッド（２２）の間であって、転写テープ（２３）の塗膜（２３ａ）に対面する近傍位置に設けられた支持台（２４）（２４）に挿着されている。
【００２３】
有底筒状体（１９）の内部には、回転羽根体（２５）が設けられている。回転羽根体（２５）は、筒体（２６ａ）の外周面に、軸線方向の板羽根（２６ｂ）が設けられて形成されている。この回転羽根体（２５）は、有底筒状体（１９）における底板（１９ｂ）の中央孔（１９ｃ）を通して、下方から有底筒状体（１９）内に挿入された回転軸（２７）における軸部（２７ａ）に嵌合固定されている。
【００２４】
回転軸（２７）の下端（２７ｂ）は、本体容器（１８）の内底面（１８ａ）に設けた筒軸（２８）に支持されたギヤ（２９）の上面係止孔（３０）に係止され、回転羽根体（２５）は、前記ギヤ（２９）と一体に回転するようになっている。
また、前記ギヤ（２９）は、供給リール（２１）用のギヤ（３１）と噛合させてある。
【００２５】
有底筒状体（１９）の内部に、塗膜に所定の機能を付与することができる液体または微粉体を入れて転写することにより、供給リール（２１）から転写テープ（２３）が繰り出されるにともなって、２つのギヤ（３１）（２９）を介して回転羽根体（２５）が高速回転し、前記液体または微粉体が、有底筒状体（１９）における噴射孔（１９ａ）を通して、転写テープ（２３）の塗膜（２３ａ）面に吹き付けられる。
【００２６】
塗膜（２３ａ）に所定の機能を付与する液体または微粉体は、たとえば、装飾または視認用のインクまたは粉体、芳香性粉体、あるいはこれらを含有した易破壊性マイクロカプセルなどがあげられる。具体的には、装飾用インクとしては、油性蛍光インクなど、装飾用粉体としては、蛍光顔料や光干渉顔料など、同じく芳香性粉体としては、パウダー・パヒュームや各種香料を含浸した多孔質シリカ粒子などがあげられる。
また、易破壊性マイクロカプセルとしては、ｐＨ指示薬発色溶液を内包したマイクロカプセルや中空マイクロカプセルなどがあげられる。
【００２７】
【発明の効果】
本発明によると、次のような効果が奏せられる。
（１）  請求項１記載の発明によれば、既存の転写テープにおける塗膜に、塗膜の易切断性の向上、あるいは塗膜に視認を容易または装飾的効果を向上させるための色を施すなどの機能を、転写作業の際に簡単に付与させることができる。
【００２８】
（２）  請求項２記載の発明によれば、簡単かつ確実に、塗膜に所定の機能を付与することができるとともに、柱状体を取り替えることにより、塗膜に所望の各種の形状を付与することができる。
【００２９】
（３）  請求項３記載の発明によれば、同じく、塗膜に所望の機能を、簡単に付与することができる。
【００３０】
（４）  請求項４記載の発明によれば、同じく、塗膜に所望の機能を、簡単に付与することができる。
【００３１】
（５）  請求項５記載の発明によれば、同じく、塗膜に所望の機能を、簡単に付与することができる。
また、易破壊性マイクロカプセルを用いると、たとえば、これがｐＨ指示薬発色溶液を内包したマイクロカプセルである場合には、糊塗膜について、転写当初は視認性を容易にするために着色しておき、視認後の着色がむしろ不都合となった時点で、塗膜を上方から指で押圧することにより、マイクロカプセルを破壊し、内部の成分を流出させて、その成分の作用により塗膜を無色化させることができる。さらに中空マイクロカプセルである場合には、被転写面へ貼り付けた当初は、このマイクロカプセルが糊塗膜と被転写面との接触面積を小さくしているが、塗膜を上方から指で押圧することにより、マイクロカプセルが破壊され、糊塗膜と被転写面との接触面積が大きくなる。この作用により貼り付け当初では貼り付ける位置の修正が可能であるとともに、位置決定後に押圧することで所望の位置への強固な接着が可能となる。
【図面の簡単な説明】
【図１】本発明の塗膜転写具を、本体容器を形成する１対の上下容器部材のうち、上側容器部材を取り除き、本体容器内部を視認し得るようにして示す斜視図である。
【図２】同じく、平面図である。
【図３】同じく、要部の分解拡大斜視図である。
【図４】図３において、柱状体を他の実施形態のものに取り替えた場合を示す図である。
【図５】本発明の別の実施形態の塗膜転写具を示す図１に対応する図である。
【図６】同じく、図２に対応する図である。
【図７】同じく、要部の分解拡大斜視図である。
【符号の説明】
（１）塗膜転写具
（２）開口
（３）本体容器
（３ａ）内底面
（４）供給リール
（５）巻取リール
（６）転写ヘッド
（７）転写テープ
（７ａ）塗膜
（８）機能付与装置
（９）筒軸
（１０）柱状体
（１０ａ）外周面
（１０ｂ）（１０ｃ）段部
（１１）小突起
（１１ａ）外端部
（１２）上端部
（１３）下端部
（１４）柱状体
（１５）板羽根
（１６）塗膜転写具
（１７）機能付与装置
（１８）本体容器
（１８ａ）内底面
（１９）有底筒状体
（１９ａ）噴射孔
（１９ｂ）底板
（１９ｃ）中央孔
（２０）脚部
（２１）供給リール
（２２）転写ヘッド
（２３）転写テープ
（２３ａ）塗膜
（２４）支持台
（２５）回転羽根体
（２６ａ）筒体
（２６ｂ）板羽根
（２７）回転軸
（２７ａ）軸部
（２７ｂ）下端
（２８）筒軸
（２９）ギヤ
（３０）係止孔
（３１）ギヤ
【図１】
2004230596.tif 000003
【図２】
2004230596.tif 000004
【図３】
2004230596.tif 000005
【図４】
2004230596.tif 000006
【図５】
2004230596.tif 000007
【図６】
2004230596.tif 000008
【図７】
2004230596.tif 000009